(57)【要約】  インターネットを介して複数の顧客に音楽を配信するシステムが各顧客に音楽を受信し、再生し、記録するため独自に識別される専用装置を提供する。音楽サーバーコンピュータシステム（１００）はインターネットを介して音楽を専用装置に配信するために提供される。システムは専用装置での音楽の利用を追跡し、インターネットを介して音楽サーバーコンピュータシステムに利用データを報告するために提供される。消費者によるコンテンツの効率的且つ経済的な利用を可能にし、著作権所有者に適切な利用報告を提供し、不認可の利用を禁止するための適切なコピー保護を提供するように、システムは消費者にインターネットを介してデジタル音楽コンテンツの確実な配信を提供する。
2007521546.tif 000002
【特許請求の範囲】
【請求項１】
インターネットを介して複数の顧客に音楽を配信する方法において、
（ａ）各顧客に音楽を受信し、再生し、記録するための独自に識別される専用装置を提供する工程と；
（ｂ）インターネットを介して音楽を前記専用装置に配信するための音楽サーバーコンピュータシステムを提供する工程と；
（ｃ）前記専用装置での音楽の利用を追跡し、インターネットを介して前記音楽コンピュータシステムに利用データを報告する工程と；
を具備することを特徴とする方法。
【請求項２】
前記工程（ｃ）で複数の専用装置から音楽サーバーコンピュータシステムに報告されるデータを組み合わせる工程と；複数の顧客の組合せ利用に関して著作権所有者に集合的に報告する工程をさらに含むことを特徴とする請求項１記載の方法。
【請求項３】
前記工程（ｃ）において、前記利用データが運搬可能な記録媒体に音楽の記録に関するデータを含むことを特徴とする請求項１記載の方法。
【請求項４】
前記運搬可能な記録媒体が記録可能なＣＤであることを特徴とする請求項３記載の方法。
【請求項５】
各専用装置に配信された音楽に独自の識別子を組み込む工程をさらに有し、前記独自識別子が音楽を記録した特定の専用装置を特定し、前記音楽の後続するどのような不許可複製も前記特定専用装置を管理している責任のある当事者に追跡可能であることを特徴とする請求項１記載の方法。
【請求項６】
さらに、商業的に予め記録されたＣＤと比べて低下した品質の形式で前記音楽サーバーコンピュータシステムから前記専用装置に音楽を配信する工程からなり、複数の専用装置の１つにより記録された音楽の複製が商業的に予め記録されたＣＤより低品質であることを特徴とする請求項１記載の方法。
【請求項７】
低下品質の前記形式が．ｍｐ３形式であることを特徴とする請求項６記載の方法。
【請求項８】
さらに、複製が再生可能な形態で複製可能であるような形式で、運搬可能な記録媒体に複製を記録することにより音楽を記録するために前記複数の専用装置の一つを使用する工程を含むことを特徴とする請求項１記載の方法。
【請求項９】
前記運搬可能な記録媒体が記録可能なＣＤであることを特徴とする請求項８記載の方法。
【請求項１０】
認可された専用装置を使用していない不認可使用者による前記サーバーコンピュータシステム上の音楽へのアクセスを防止する工程を更に含むことを特徴とする請求項１記載の方法。
【請求項１１】
インターネットを介して音楽を配信するための音楽サーバーコンピュータシステムにおいて、
インターネット通信システムと；
音楽を含む音楽データベースと；
前記音楽データベースからの音楽を受信するために認可された独自識別装置に関する情報を含む認可装置データベースと；
前記音楽サーバーコンピュータシステムが前記音楽データベースからの音楽を受信するために認可された装置を特定するため前記認可装置データベース内の情報を調査し、前記インターネット通信システムを使用して前記認可装置データベースにリストされた認可装置にのみ音楽を送信させるように動作可能な音楽サーバーソフトウエアと；
を具備することを特徴とする音楽サーバーコンピュータシステム。
【請求項１２】
前記音楽サーバーソフトウエアはさらに不許可装置が前記音楽サーバーコンピュータシステム上の音楽をアクセスするのを防止するように動作可能であることを特徴とする請求項１１記載の音楽サーバー。
【請求項１３】
前記音楽サーバーソフトウエアは、前記音楽サーバーコンピュータシステムをアクセスしようとするどのような装置からも装置識別情報を要求し、もし認可装置データベースに蓄積された装置識別情報と一致する装置識別情報を提供できないと、装置のアクセスを拒否することにより、音楽に対する不許可アクセスを防止することを特徴とする請求項１２記載の音楽サーバー。
【請求項１４】
前記音楽サーバーソフトウエアは前記音楽サーバーコンピュータシステムに音楽が前記音楽サーバーコンピュータシステム上の音楽利用データベース内の音楽サーバーコンピュータシステムからダウンロードされる回数に関する情報を蓄積させるように動作可能であることを特徴とする請求項１１記載の音楽サーバー。
【請求項１５】
更に、一人又は複数のレコーディングアーチストのための著作権実施料に関する情報を含むレコーディングアーチスト実施料データベースからなり、前記音楽サーバーソフトウエアが著作権実施料に関する情報および音楽が音楽サーバーコンピュータシステムからダウンロードされる回数に関する情報を使用して一人又は複数のレコーディングアーチストに支払うべき著作権実施料を計算するように動作可能であることを特徴とする請求項１４記載の音楽サーバー。
【発明の詳細な説明】
【技術分野】
【０００１】
本発明は全般的に音楽をネットワークを介して配信するためのシステムに関し、特に、音楽を、限定の目的でなく、インターネットを介して配信するためのシステムに関する。
【背景技術】
【０００２】
インターネットの発展と共に、音楽コンテンツの配信のための多くの提案があった。消費者の要望と組み合わされた近代デジタル技術で音楽の複製（コピー）を容易にしたことが音楽コンテンツの多くの不許可の複製を伴う多数の音楽配信計画をもたらした。例えば、エー  アンド  エム  レコーズ  インコーポレーテッド（Ａ＆Ｍ  Ｒｅｃｏｒｄｓ  Ｉｎｃ．）対ナップスター  インコーポレーテッド（Ｎａｐｓｔｅｒ  Ｉｎｃ．）（第９回Ｃｉｒ．、２００１年４月３日見解）に記載された異論のあるナップスターシステムを参照のこと。他の“ピアツーピア”システムが進化し、消費者は記録音楽を交換又は共有し、相当数の不許可複製につながった。
【発明の開示】
【発明が解決しようとする課題】
【０００３】
音楽産業、主に、ほとんどの音楽コンテンツを所有している大手のレコード会社は、ｗｗｗ．ｓｄｍｉ．ｏｒｇに記載された安全デジタル音楽計画として知られる活動により示されるように、デジタル音楽の配信のためのより満足なシステムを開発するために関与してきた。
【０００４】
消費者を満足させ、音楽の著作権所有者の権利を保護する商業的に実行可能なインターネットに基く音楽配信システムを開発するためのこれらの種々の尽力のこれまでの失敗は今日の市場でのシステムの不在により示される。
【０００５】
したがって、インターネットで音楽を配信するための改良されたシステム、特に、音楽所有者の法的権利を保護し、同時に、有効で、経済的な方法で消費者に所望のコンテンツを提供するために技術手段を提供するシステムを求める継続した要望がある。
【課題を解決するための手段】
【０００６】
本発明は音楽所有者の権利の保護に関する多くの事業上の懸念を解決するための技術手段を提供する音楽配信システムの独自の解決手段を提供する。
【０００７】
本システムにより、各消費者は消費者の家庭に専用ハードウエア装置を提供される。この装置は複数の機能を有し、その１つはインターネットを介してサーバーから各使用者の家庭に置かれた種々の装置に配信されるデジタル音楽を受信しかつ記録することである。
【０００８】
ここで更に述べられるように、専用装置はユーザー自身のコンパクトディスクコレクションを記録し再生するためのレコーダー／プレーヤーとして機能する。専用装置に特に関係するこれらの新規な特徴は“組合せコンパクトディスクレコーダーおよびプレーヤーシステム”と表題されて、同時に出願された出願人の同時係属出願第１０／４０６，８２１号の主題であり、その詳細は参照のために本願に引用される。
【０００９】
本願はインターネットを介してデジタル音楽を専用装置の使用により有効になるような専用装置に配信するための独自の装置および方法を取り上げている。これらの専用装置は音楽利用の監視および記録により多くの制御を可能にし、同時に、消費者により増大させた音楽の利便性を提供するものである。
【００１０】
一実施例において、インターネットを介して複数の顧客に音楽を配信する方法は（ａ）音楽を受信し、再生し、記録するための独自に認識された専用装置を各消費者に提供する工程と、（ｂ）音楽をインターネットを介して専用装置に配信するための音楽サーバーコンピュータシステムを提供する工程と、（ｃ）専用装置での音楽の利用を追跡し、インタネットを介して利用データを音楽サーバーコンピュータシステムに報告する工程を含んでいる。
【００１１】
本発明の他の実施例において、音楽を通信ネットワークを介して複数のユーザーに配信する方法は（ａ）ユーザーが音楽を受信し且つ記録する特定の装置に付随する独自の識別子をユーザーに提供する工程と、（ｂ）通信ネットワークを介して認可済み装置に音楽を配信する工程と、（ｃ）工程（ｂ）で各所有者の音楽の配信の範囲に関する著作権所有者に対するデータを報告する工程を含む。
【００１２】
本発明の更に他の実施例において、インターネットを介して複数の顧客に音楽を配信する方法は（ａ）各顧客に音楽を受信し、蓄積し、再生し、且つ記録するための専用装置を提供する工程と、（ｂ）インターネットを介して音楽を専用装置に配信するための音楽サーバーコンピュータシステムを提供する工程と、（ｃ）各専用装置に蓄積された音楽に独自の識別子を埋め込む工程であり、前記独自の識別子は音楽を蓄積した特定の専用装置に相当し、記録された音楽の継続する不許可の複製が特定の専用装置を管理する責任ある関係者に追跡可能である工程とを含む。
【００１３】
インターネットを介して音楽を配信するための音楽サーバーコンピュータシステムの更に他の実施例はインターネット通信システム、音楽を含む音楽データベース、音楽データベースからの音楽を受信するために認可された装置を独自に認識する情報を含む認可装置データベース、および音楽サーバーソフトウエアを含む。音楽サーバーソフトウエアは音楽サーバーコンピュータシステムが音楽データベースからの音楽を受信するために認可された装置を特定するため認可装置データベース内の情報を調査し且つインターネット通信システムを使用して認可装置データベース内にリストされた認可装置に対してのみ音楽を送信させるように動作可能である。
【００１４】
本発明の他の実施例において、インターネットを介して配信された音楽を追跡するための音楽サーバーコンピュータシステムはインターネット通信システム、音楽を含む音楽データベース、音楽サーバーコンピュータシステムから音楽を受信する装置に関する情報を蓄積するためのダウンロード装置識別データベース、および音楽サーバーソフトウエアを含んでいる。音楽サーバーソフトウエアは音楽サーバーコンピュータシステムがインターネット通信システムを使用し、特定の装置に音楽を送信する前に、インターネットを介して音楽を１つ又は複数の装置に送信し、且つ特定の装置を独自に認識する情報を特定の装置にダウンロードされるべき音楽にラベル付けし、且つダウンロード装置識別データベース内の特定の装置を独自に認識する情報を蓄積するように動作可能である。
【００１５】
本発明の他の実施例において、インターネットを介して音楽を配信するための音楽サーバーコンピュータシステムはインターネット通信システム、音楽および音楽プログラムガイドを含む音楽データベース、１つ又は複数の地域領域内のテレビプログラム（番組）に関する情報を含むテレビプログラムガイドデータベース、１つ又は複数の認可装置のための領域ロケーション（位置）情報を蓄積するための装置位置データベース、および音楽サーバーコンピュータシステムがインターネット通信システムを使用してインターネットを介して音楽、音楽プログラムガイド、およびテレビ番組ガイドを１つ又は複数の装置に送信させるように動作可能な音楽サーバーソフトウエアを含んでいる。
【００１６】
本発明の他の実施例において、インターネットを介して音楽を配信する方法が音楽サーバーコンピュータシステム上に音楽を蓄積する工程と、音楽サーバーコンピュータシステム上で音楽サーバーコンピュータシステムからの音楽を受信するために認可される装置を独自に特定する情報を蓄積する工程と、音楽データベースからの音楽を受信するように認可された装置を特定するために音楽サーバーコンピュータシステム上に蓄積された情報を調査する工程と、音楽サーバーコンピュータシステムを使用して音楽サーバーコンピュータシステム上にリストされた認可装置のみに音楽を送信する工程とを含んでいる。
【００１７】
本発明の更に他の実施例において、インターネットを介して配信された音楽を追跡する方法は音楽サーバーコンピュータシステム上の音楽を蓄積する工程と、音楽サーバーコンピュータシステム上の音楽サーバーコンピュータシステムからの音楽を受信する装置に関する情報を蓄積する工程と、音楽サーバーコンピュータシステムを使用してインターネットを介して音楽を１つ又は複数の装置に送信する工程と、音楽を特定の装置に送信する前に、特定の装置にダウンロードされるべき音楽に特定の装置を独自に特定する情報をラベル付けする工程と、音楽サーバーコンピュータシステム上の特定の装置を独自に特定する情報を蓄積する工程を含んでいる。
【００１８】
本発明の他の実施例において、インターネットを介して音楽を配信するための方法は音楽と音楽プログラムガイドを音楽サーバーコンピュータシステムに蓄積する工程と、音楽サーバーコンピュータシステム上の１つ又は複数の地域領域のテレビプログラム（番組）に関する情報を蓄積する工程と、音楽サーバーコンピュータシステムに１つ又は複数の装置のための領域位置情報を蓄積する工程と、音楽サーバーコンピュータシステムを使用してインターネットを介して音楽、音楽プログラムガイド、およびテレビ番組ガイドを１つ又は複数の装置に送信する工程を含んでいる。
【００１９】
新しい音楽を聴き且つ購入するために必要とされる時間を減少するため、システムはインターネットを使用して新しい歌を通信し且つダウンロードするように動作可能である。種々のアーチストおよびレコード会社は消費者がインターネットで完全に無料で新生のアーチストで作られた歌および他のマテリアルにアクセスするのを可能にする。本発明のシステムは消費者がこれらの機会を利用するのを可能にする。
【００２０】
新しい音楽を聴き且つ購入するユーザーの能力をさらに高めるため、本発明は新しい音楽を聴き且つダウンロードするため本発明の組合せレコーダーおよびプレーヤー装置により使用できる新規な音楽サーバーコンピュータシステムを含んでいる。新規なサーバーは音楽と、インターネットを介して送信中に複数の組合せレコーダーおよびプレーヤー装置に蓄積された音楽を同時に流すために使用できるストリーミングオーディオサーバープログラムを蓄積するためのデータベースを含んでいる。受信料と引き換えに、ユーザーは放送を聞き、彼らが好む音楽を聴く場合、その歌を組合せレコーダーおよびプレーヤー装置にダウンロードできる。受信料は音楽放送に関する詳細な情報を含むプログラムガイドおよびケーブル、衛星、またローカル局のローカル放送をカバーし、完全なプログラム記述および論評を含むテレビプログラムガイドへのアクセスを提供する。
【００２１】
音楽が組合せレコーダーおよびプレーヤーにダウンロードされる場合音楽サーバーに蓄積された音楽のレコーディングアーチストが適切な著作権使用料を受領するのを確実にするため、各装置は歌が音楽サーバーからダウンロードされ、ＣＤに焼き付けられ、又は付随のリモート制御装置に複写（コピー）される回数に関する情報を監視し且つ蓄積するように動作可能である。さらに、各装置は音楽サーバーコンピュータにこの情報を自動的に送信するため所定の時期に動作可能であり、レコーディングアーチストのための適切な著作権実施料を計算するために使用できる。これらの著作権実施料は組合せレコーダーおよびプレーヤー装置の種々のユーザーにより支払われた受信料を利用して支払い可能である。
【００２２】
音楽サーバー上の音楽が適切な受信料の未納ユーザーおよび本発明の組合せレコーダーおよびプレーヤー装置以外の装置によりダウンロードされないことを確実にするため、音楽サーバー上のデータベースは音楽サーバーから音楽を聞き及びダウンロードするために認可される全ての組合せレコーダーおよびプレーヤー装置のための独自の認識番号および所有権情報のリストを蓄積する。独自の認識番号の一つを含まない従来のパソコンのような他の装置は音楽サーバーにアクセスできず、音楽サーバーからの音楽を聴きおよびダウンロードできない。
【００２３】
組合せレコーダーおよびプレーヤー装置にダウンロードされた音楽の不適切な複写に対するセキュリティを更に増大させるため、音楽サーバーはこれらの装置にダウンロードされた各歌に独自の識別番号をつけている。各装置はＣＤに焼き付けられた又はリモート制御装置に送信された各歌と共に独自の認識番号を含んでいる。結果として、もし歌が焼き付けられたＣＤや他の手段を介してインターネット上に不適切に配信されると、本発明の音楽サーバーは音楽を最初に受信した組合せレコーダーおよびプレーヤー装置を特定するために使用できる。これは問題の歌の独自の認識番号を音楽サーバーに蓄積された独自の番号のリストと単に比較し、歌を受信した組合せレコーダーおよびプレーヤー装置の所有者を特定するため一致する独自の認識番号に付随する所有者情報を使用することにより実施される。
【００２４】
音楽サーバーからダウンロードされ且つＣＤに焼かれた音楽がパソコンに複写されるのを防止するため、各組合せレコーダーおよびプレーヤー装置は当分野の技術で知られた種々のパソコン複写防止技術の何れかを使用してＣＤに焼き付けるように動作可能である。例えば、ＣＤはＣＤ上のオーディオがパソコン上で典型的に発見されるＣＤ−ＲＯＭドライブから隠されるように焼き付けられ、又は、代案として、ＣＤは音声がクリック音やポップ音が焼き付けられたＣＤの複写に生じさせるエラーを含むように焼き付けられる。結果として、パソコンは本発明の組合せレコーダーやプレーヤー装置により焼き付けられたＣＤをコピーできない。
【００２５】
本発明が従来のオフラインショップからＣＤの購入を継続する消費者の要望を排除する可能性を減らすため、音楽サーバーにより提供されるストリーミングオーディオはＣＤ上のデジタルオーディオレコードの品質より劣っているＭＰ３のような圧縮オーディオ形式で供給されても良い。このように、ユーザーは本発明のシステムを使用して新しい音楽を容易に聞き且つダウンロードできるが、非常に高品質な音楽レコードを獲得するため従来の店舗からＣＤを購入する必要がある。
【００２６】
本発明のこれらのおよび他の目的は図面に関連して解釈される場合以下の開示を読み取ることで、当業者にとって容易に明らかになるであろう。
【発明を実施するための最良の形態】
【００２７】
図１−図３および図９を参照すると、組合せコンパクトディスク（ＣＤ）レコーダーおよびプレーヤーシステム１０の本発明の一実施例は組合せＣＤレコーダーおよびプレーヤー装置１２およびリモート制御装置１４を含む。レコーダー／プレーヤー装置１２はレコーダー／プレーヤーコンピュータシステム１６を含み、このレコーダー／プレーヤーコンピュータシステム１６はレコーダー／プレーヤー中央処理装置（ＣＰＵ）システム１８、レコーダー／プレーヤー通信システム２０、ＣＤドライブ２２、レコーダー／プレーヤーメモリ２４、レコーダー／プレーヤースピーカーシステム２６、コピー要求入力機構２８、レコーダー／プレーヤーインターネット通信システム３０、リモート制御ドッキングシステム３２、およびＸ１０制御システム５０を含む。レコーダー／プレーヤー装置１２は装置１２を制御するために使用される新規なレコーダー／プレーヤーソフトウエア３４を含む。リモート制御装置１４はリモート制御コンピュータシステム３６を含み、このリモート制御コンピュータシステム３６はリモート制御ＣＰＵシステム３８、リモート制御通信システム４０、リモート制御メモリ４２、リモート制御スピーカーシステム４４、入出力装置４６、赤外線システム４８、リモート制御インターネット通信システム４７、およびＸ―１０制御システム５０を含む。さらに、リモート制御装置１４は装置１４を制御するために使用される新規なリモート制御ソフトウエア５２を含む。
【００２８】
レコーダー／プレーヤー装置１２
レコーダー／プレーヤーＣＰＵシステム１８は従来のコンピュータＣＰＵシステムであり、レコーダー／プレーヤーソフトウエア３４から受信される命令を実行するため動作可能である。図４を参照すると、ＣＰＵシステム１８は中央処理装置（ＣＰＵ）５４、ファン５６、マザーボード５８、ＲＯＭ６０、ＲＡＭ６２、ＰＣ電源６４、オペレーティングシステム６６を含む。ＣＰＵ５４、ファン５６、マザーボード５８、電源６４、オペレーティングシステム６６の型は用途しだいで変更できる。例えば、一実施例において、オペレーティングシステム６６はウインドウズＸＰホームエディションオペレーティングシステムである。他のオペレーティングシステムを同様に使用できる。さらに、ＲＯＭ６０およびＲＡＭ６２は用途に依存して変化する。したがって、さまざまな異なるコンポーネントがＣＰＵシステム１８に使用できる。ＣＰＵシステム１８で使用するためのコンポーネントの選択は当業者の能力の範囲内でよく、更に詳細には述べない。どのコンポーネントが使用されるかを問わないが、しかしながら、ＣＰＵシステム１８はレコーダー／プレーヤーソフトウエア３４から受信されたどのような命令も実行できなければならない。
【００２９】
一実施例において、組合せレコーダー／プレーヤー装置１２は２ＧＨｚで作動するインテルペンティアム（登録商標）４プロセッサ、フロントファイヤワイヤー１３９４およびＵＳＢ２．０インターフェース、ＰＣの２５６メガバイト、２１００（２６６メガヘルツ）ＤＤＲ（ダブルデータレート）メモリを含むシャットルＸＰＣＳＢ５１Ｇミニベアボーンシステムを含む。更に、装置１２はインテグレーテッドサベージグラフィックカード、５．１チャンネルオーディオ、および１０／１００ローカルエリアネットワーク（ＬＡＮ）ネットワークカードを含む。５．１チャンネルオーディオカードはＲｅａｌｔｅｋＡＣＬ６５００サウンドカードであり、１０／１００ＬＡＮネットワークカードはＲｅａｌｔｅｋ８１００Ｂネットワークカードである。システムは２００ワットの電力のアルミシャーシおよびシャットルＩ．Ｃ．Ｅ．ヒートパイプ冷却システムを含む。
【００３０】
レコーダー／プレーヤー通信システム２０は装置１２とリモート制御装置１４が互いに通信するのを可能にする無線通信システムである。一実施例において、通信システム２０はＩＥＥＥ８０２．１１ｂ無線ネットワーク標準にしたがって動作する。したがって、通信システム２０は８０２．１１ｂカードおよびその関連ソフトウエアを含む。変形実施例において、通信システム２０は８０２．１１ｂ無線ネットワーク標準、“ブルートゥース”標準、又は他の標準、又は専用無線技術にしたがって動作する。本発明の好ましい実施例において、８０２．１１ｂ通信システム上のリモート制御装置１４は装置１２のための唯一のユーザーインターフェースである。
【００３１】
ＣＤドライブ２２は非圧縮オーディオフォーマット（形式）および圧縮オーディオフォーマット（形式）を含む種々のフォーマットでコンパクトディスクを読み出し且つに書き込みできる。ＣＤドライブ２２は従来のオーディオＣＤからデジタルオーディオを読み出し、従来のデータＣＤから．ｗａｂおよび．ｍｐ３ファイルを読み出し可能である。同様な方法で、ＣＤドライブ２２は従来のＣＤオーディオフォーマットでデジタルオーディオをオーディオＣＤに書き込み、データＣＤへ．ｗａｂおよび．ｍｐ３ファイルを書き込み可能である。一実施例において、ＣＤドライブ２２はインテグレーテッドドライブエレクトロニクス（ＩＤＥ）ＡＴアタッチメントパケットインターフェース（ＡＴＡＰＩ）ＣＤ記録可能なドライブである。他の実施例において、ＣＤドライブ２２は３２Ｘ１２Ｘ４０Ｘ１２ＤＶＤおよびＣＤＲＷ組合せドライブである。
【００３２】
レコーダー／プレーヤーメモリ２４はオリジナルＣＤオーディオフォーマット、．ｗａｖファイル、．ｍｐ３ファイル、又は任意の他の従来のオーディオフォーマットを含む種々の非圧縮および圧縮オーディオ形式でデジタルオーディオを蓄積するために動作可能である。一実施例において、メモリ２４は８０ギガバイトＩＤＥ／Ｕｌｔｒａダイレクトメモリアクセス（ＵＤＭＡ）ハードドライブである。他の実施例において、メモリ２４は８０ギガバイトＵｌｔｒａＡＴＡ／１００／７２００ＲＰＭハードドライブであり、装置１２に予め搭載された多数のＣＤからデジタルオーディオを含んでいる。メモリシステムは当技術でよく知られており、種々の異なる型のメモリの１つも同様に使用できる。
【００３３】
レコーダー／プレーヤー２４はオーディオおよびビデオ装置の複数の従来の要素を制御するために使用できる情報を蓄積するために動作可能である。例えば、ほとんどのＴＶ、ＶＣＲ、ＤＶＤプレーヤー、および従来のＣＤプレーヤーは赤外線制御信号を使用して遠隔制御される。レコーダー／プレーヤー２４は赤外線システム４８を使用してこれらの制御信号の発生に使用するためリモート制御装置１４に必要な情報を含む。この情報は、必要に応じて、レコーダー／プレーヤーメモリ２４からリモート制御メモリ４２に転送可能であり、専用制御装置を発生するためリモート制御ソフトウエア５２により使用できる。
【００３４】
レコーダー／プレーヤーメモリ２４はさらに家屋内の装置の位置に基くオーディオまたはビデオ装置を特定する情報を蓄積するために動作可能である。したがって、レコーダー／プレーヤーメモリ２４は家屋の１つ又は複数の部屋に配置されたオーディオ又はビデオ装置を特定する情報およびこれらのコンポーネントを制御するために必要な情報を含む。さらに、この情報は、必要に応じて、リモート制御メモリ４２に転送可能であり、適切な制御信号を発生するためにリモート制御ソフトウエア５２により使用できる。
【００３５】
レコーダー／プレーヤースピーカーシステム２６は装置１２により出力されたオーディオを再生するために動作可能であり、２個の低レンジスピーカー、２個の高レンジスピーカー、２個のスピーカー筐体、およびスピーカー筐体内の２個の内部オーディオ増幅器を含む。スピーカーシステム２６はデジタル信号処理チップおよびデジタル／アナログ変換器を含むサウンドカードを含む。サウンドカードはメモリ２４またはＣＤドライブ２２からのデジタル信号をアナログオーディオに変換するために使用され、スピーカ−システム２６内のスピーカ−により出力される。サウンドカードはＣＰＵシステム１８のマザーボード５８上に内蔵でき、または個別のカードであっても良い。サウンドカードは当技術において既知であり、これらの装置の何れか１つが本システムと共に使用できる。例えば、一実施例において、サウンドカードは当技術で知られたサベージグラフィックスサウンドカードである。
【００３６】
レコーダー／プレーヤースピーカーシステム２６はレコーダー／プレーヤー装置１２から遠隔に配置された追加のスピーカーを含んでも良い。これらのリモートスピーカーは従来のスピーカーワイヤ、無線接続を含む従来の手段を使用して、または、本発明の出願人より開発されたＭａＧＩＣ通信技術を使用してレコーダー／プレーヤー装置１２に接続できる。メディアアクセレレイテッドグローバル情報キャリアを表すＭａＧＩＣは、本願の譲受人である、ギブソン・ギター・コーポレーションにより開発されたオープン構成デジタル接続システムである。ＭａＧＩＣシステムの動作は２００２年１月２２日付け、メディアアクセレレイテッドグローバル情報キャリア、工業規格、２．４版と表題された工業規格に詳細に記載されている。この規格に含まれる開示は本願で参照のために引用される。この規格はウエブアドレス、ｈｔｔｐ：／／ｍａｇｉｃ．ｇｉｂｓｏｎ．ｃｏｍ／ｓｐｅｃｉｆｉｃａｔｉｏｎ．ｈｔｍｌでアクセス可能である。さらに、ＭａＧＩＣシステムは２００２年３月２５日にＪｕｓｚｋｉｅｗｉｃｚらに発行され、「ユニバーサルオーディオ通信および制御システムおよび方法」と表題された米国特許第６，３５３，１６９号に詳細に開示されている。この‘１６９特許の開示は参考のためにこの明細書に引用される。
【００３７】
コピー要求入力機構２８はユーザーがコピー命令を装置１２に入力できるように動作可能である。一実施例において、この機構２８は単に従来のプッシュボタンである。種々の他の入力機構も同様に使用できる。例えば、機構２８はスタイラス（針）を使用するユーザーにより押圧される電子“コピー”ボタンを表示する装置１２に組み込まれたタッチセンシティブディスプレイであってもよい。
【００３８】
レコーダー／プレーヤーインターネット通信システム３０は装置１２がインターネットと通信できるように動作可能である。インターネット通信システムは当技術で既知であり、これらのシステムのいずれも使用可能である。従来のインターネット通信システムは、特に、関連ソフトウエアを有するモデム、ケーブルモデムとその関連ソフトウエア、又は関連ソフトウエアを有するＤＳＬモデムを含む。インターネット通信システム３０は装置１２が無線技術を使用してインターネットと通信するのを可能にするハードウエアおよびソフトウエアを含んでも良い。
【００３９】
リモート制御ドッキングシステム３２はリモート制御装置１４をレコーダー／プレーヤー装置１２に接続するために使用される。リモート制御装置１４が装置１２に接続されると、ドッキングシステム３２はリモート制御装置１４に電力を供給し、装置１４がそのバッテリー（電池）を保存するのを可能にする。ドッキングシステム３２はリモート制御装置１４内の電池を充電するために必要なコンポーネントを含み、装置１４がドッキングシステム３２に挿入されるときそのように稼動するように動作可能になる。ドッキングシステム３２はリモート制御装置１４のための予備電池を充電するために使用できる。一実施例において、リモートドッキングシステム３２は電源ＤＣコネクタと、１４４０ＭＡＨおよび３４００ＭＡＨ電池を充電するための電池充電スロットを有するデル  Ａｘｉｕｍ  Ｘ５パーソナル・デジタル・アシスタント（ＰＤＡ）のためのＵＳＢクレードルである。
【００４０】
Ｘ−１０制御システム５０は家庭で典型的に見られる照明および電気器具を制御するために使用される制御信号を発生するために動作可能である。Ｘ−１０システム５０は照明および他の電気器具を制御するために家庭の既存の１１０ボルト電気配線を使用している。システム５０は１１０ボルト配線でコード化された低電圧信号を送信する送信器と、１００ボルト電源に差し込まれ、コード化された低電圧信号を調べる受信器を含む。しかしながら、受信器は適切なアドレスを含む信号にのみ応答するように設計される。換言すると、各受信器は独自のアドレスを有し、アドレスを含む信号のみに応答する。最高２５６の異なるアドレスがこのシステムで使用できる。Ｘ−１０技術は当技術で既知であり、この技術に関する詳細情報はインターネットで見られる。例えば、Ｘ−１０技術および製品に関する詳細情報はカリフォルニア州９２６０６−５０２７、アービン、１６５４２ミリカンアベニューに位置するホームオートメーションに特化した会社である、スマートホーム・インコーポレーテッド（Ｓｍａｒｔｈｏｍｅ  Ｉｎｃ．）から得られる。
【００４１】
レコーダー／プレーヤーソフトウエア３４はレコーダー／プレーヤーコンピュータシステム１６が従来のオーディオＣＤからレコーダー／プレーヤーメモリ２４にデジタルオーディオを記録させ、従来のオーディオＣＤおよびメモリ２４からのデジタルオーディオを再生させ、およびメモリ２４内に蓄積されたオーディオを使用して新しいＣＤを作成又は“焼き付ける”ように動作可能である。ソフトウエア３４はコンピュータシステム１６が従来のデータＣＤからメモリ２４に．ｗａｖおよび．ｍｐ３を記録させるように動作可能である。ソフトウエア３４はＣ＋＋で書き込まれるが、種々の他の従来のプログラミング言語で書込み可能である。
【００４２】
ソフトウエア３４はコンピュータシステム１６が、所定時期に、．ｗａｖ、．ｍｐ３、又は他の従来のフォーマットの追加のデジタルオーディオ、インターネット上の音楽放送のためのプログラムガイド、およびケーブル、サテライト、ローカル局のローカル放送のためのＴＶガイドをメモリ２４に自動的にダウンロードさせるように動作可能である。音楽放送は古い音楽コンテンツおよび最新ヒット曲を含んでいる。プログラムガイドは事前に１週間分のインターネットを介して“放送される”歌に関する情報を含んでいる。ＴＶガイドは推薦、解説、および論評を含んでいる。一実施例において、ＴＶガイドプログラムは指定されたケーブルＴＶチャンネルに現れるスクロールＴＶプログラムガイドと類似であり、顧客にプログラミング情報を提供するためコムキャスト（Ｃｏｍｃａｓｔ）のような多くのケーブル会社により使用されている。音楽プログラムガイドは同様に類似の方法で現れ、作用する。
【００４３】
ソフトウエア３４は歌が装置１２により再生される回数を自動的にモニタするために、且つ所定の回数で、インターネットを使用してこの情報を加入者サービスに自動的に送るため更に動作可能である。加入者サービスに送られた情報は歌がレコーダー／プレーヤー装置１２により記録可能なＣＤに複写された回数、または歌が装置１２に付随するリモート制御装置１４に複写された回数に関する情報を含む。ソフトウエア３４はＣＤドライブ２２または装置１２に付随するリモート制御装置１４に挿入された記録可能なＣＤ以外の装置に対する歌の複写を防止するように動作可能である。最終的に、ソフトウエア３４は装置がインターネットを使用してレコーダー／プレーヤー装置１２に蓄積されたオーディオにアクセスするのを防止するように動作可能である。
【００４４】
記録、再生、およびバーニングＣＤの種々の機能を実施するため、ソフトウエア３４はいくつかのモジュールを含んでいる。第１モジュールは従来のオーディオＣＤからデジタルオーディオを引き抜き且つメモリ２４に蓄積できるＣＤオーディオ“リッパー”モジュールである。リッパーモジュールはデジタル信号を．ｗａｖファイル、．ｍｐ３ファイル、又は他の従来のオーディオフォーマットで蓄積できる。一実施例において、リッパーモジュールはオーディオＣＤからのオーディオを読み出すため標準ウインドウズＸＰウインドウズメディア９アクティブ−Ｘ制御を使用している。オーディオＣＤから引き剥がされたオーディオを読み出し且つ蓄積するための種々の技術があり、これらの技術の何れかを使用できる。
【００４５】
第２モジュールは従来のＣＤおよびメモリ２４からのデジタルオーディオを再生できるバーチャルプレーヤーモジュールとして引用されるＣＤプレーヤーモジュールである。バーチャルプレーヤーモジュールはデジタルオーディオを再生するためのオーディオエンジンにより使用され、限定された移送制御を提供するため且つ限定された歌の経歴を維持するためのストリームドインターネット又は補助入力のようなリアルタイムソースのために使用される円形バッファを含んでいる。モジュールは高品質、試聴用高速早送り／巻戻し機能を提供するためＭＰ３ソースと共に使用される。第２モジュールはまた上記に参照されたウインドウズＸＰオペレーティングシステムと共に含まれるダイレクトＸプレイエンジンを含んでいる。このプレイエンジンはバーチャルプレーヤーから透過的にオーディオをアクセスする。
【００４６】
第３モジュール、ＣＤバーナーモジュールはメモリ２４に蓄積されたオーディオを使用して新規なＣＤを焼き付けるように動作可能である。ＣＤバーナーモジュールは．ｗａｖおよび．ｍｐ３フォーマットを含む複数の従来のフォーマットでＣＤを焼き付けることができる。一実施例において、ＣＤバーナーモジュールはオーディオＣＤを焼き付けるため標準ＸＰイメージマスタリングアプリケーションプログラミングインターフェース（ＩＭＡＰＩ）ソフトウエア開発キット（ＳＤＫ）を使用している。変形実施例において、他のバーナーモジュールも使用できる。ＣＤバーナーモジュールはさらに当技術で知られた種々のパソコン複写防止技術の一つを使用してＣＤを焼き付けるように動作できるので、パソコンにより複写されない。一実施例において、ＣＤは焼かれるので、オーディオファイルはパソコンのＣＤ−ＲＯＭドライブにより見られず、複写できない。他の実施例において、ＣＤは焼かれるので、ＣＤ上のオーディオは焼かれたＣＤのコピーにクリック音およびポップ音を出現させるエラーを含んでいる。いくつかの会社は複写防止システムを提供しており、これらのシステムの詳細情報はインターネットで見られる。例えば、マクロビジョン、ソニー、サンコムのすべてはこのようなシステムを提供しており、これらの会社に関する情報はインターネットで入手できる。
【００４７】
ソフトウエア３４はさらにＭＰ３エンコーダーモジュール、ＭＰ３デコーダーモジュール、およびデータベースモジュールを含んでいる。ＭＰ３エンコーダーモジュールは従来のオーディオＣＤからのデジタルオーディオを．ｍｐ３ファイルフォーマットに圧縮するように動作可能であり、且つＭＰ３デコーダーは．ｍｐ３ファイルフォーマットで圧縮されたデジタルオーディオを解凍するように動作可能である。一実施例において、“Ｂｌａｄｅ”として知られる公的に入手可能なコードライブラリを使用して、ＭＰ３エンコーダーモジュールはＣＤ形式ＰＣＭオーディオの流れを１２８−２５６ＢＰＳ動画エキスパートグループ（ＭＰＥＧ）形式圧縮オーディオにエンコードする。変形実施例において、他の型の既知の圧縮技術も同様に使用できる。この実施例において、ＭＰ３デコーダーモジュールはＭＰＥＧ３形式圧縮オーディオの流れをデコードし、ＣＤ形式ＰＣＭオーディオ、即ち、ＭＰ３エンコーダーの逆に変換する。
【００４８】
データベースモジュールはデータベースとしてのデジタルオーディオをメモリ２４に蓄積するために使用される。データベースは複数のインデックスを含み、オーディオを蓄積するために標準Ｂツリー技術を使用する。アクセス、ＩＢＭＤＢ２、およびオラクルのようなデータベースモジュールは当技術で既知であり、これらのデータベースのいずれも同様に使用できる。
【００４９】
ソフトウエア３４はまたインターネットで情報の既知のデータベースをアクセスすることによりＣＤの名前およびこれらのＣＤの歌を見つけるために動作可能であるＣＤＤＢモジュールを含む。カリフォルニア州、バークレイのグレースノート（Ｇｒａｃｅｎｏｔｅ）と呼ばれる会社はこのデータベースを保持している。ＣＤの名前および歌はメモリ２４内の内部データベースに蓄積できる。この場合、ＣＤＤＢモジュールは所望の情報を獲得するためにこのデータベースをアクセスする。
【００５０】
装置１２はいくつかの異なるモードで動作可能である。オートマチックコピーモードと称される第１モードにおいて、装置１２は、オーディオＣＤ又はデータＣＤがＣＤドライブ２２に挿入されると、デジタルオーディオ、．ｗａｖ又は．ｍｐ３ファイルをレピーター／プレーヤーメモリ２４に自動的に複写される。ワンボタンコピーモードと称される第２モードにおいて、ユーザーがコピー要求入力機構２８を使用してコピー命令を装置１２内に入力した後、装置１２のみが情報をレピーター／プレーヤーメモリ２４に複写する。
【００５１】
第２モードにおいて、この例における従来のプッシュボタン又はスイッチであるコピー要求入力機構２８は消費者により使用でき、プッシュボタンを押すことによりＣＤドライブ２２内に挿入された従来のオーディオＣＤ（図示せず）をレコーダー／プレーヤーメモリ２４に自動的にコピーできる。ボタン２８が押されると、レコーダー／プレーヤーソフトウエア３４はレコーダー／プレーヤーコンピュータシステム１６にＣＤに蓄積されたデジタルオーディオをメモリ２４に複写させる。デフォルト設定により、コンピュータシステム１６は全てのデジタルオーディオを非圧縮フォーマットで蓄積する。例えば、一実施例において、コンピュータシステム１６はＣＤからのデジタルオーディオを従来のファイルフォーマット、即ち．ｗａｖファイル拡張子と共に蓄積する。デフォルト設定は要望通りに変更できるので、装置１２はデジタルオーディオを他の従来のフォーマットで格納できる。例えば、デフォルト設定が変更できるので、デジタルオーディオが従来のＭＰ３ファイルフォーマットのような圧縮フォーマットで格納される。リモート制御装置１４は装置１２のためのデフォルト設定を変更するために使用され、この処理はリモート制御装置１４の詳細な記述と関連して以下に詳細に説明される。
【００５２】
コピー要求入力機構２８は従来のデータＣＤからの．ｗａｖおよび．ｍｐ３ファイルを自動的に複写するために使用できる。もし従来のデータＣＤがＣＤドライブ２２に配置され、コピーボタン２８が押圧されると、レコーダー／プレーヤーソフトウエア３４はレコーダー／プレーヤーコンピュータシステム１６にＣＤ上の任意のファイルをメモリ２４に複写させる。もしファイルが．ｗａｖファイルであると、コンピュータシステム１６はファイルを．ｗａｖファイルとしてメモリ２４に格納する。もしファイルが．ｍｐ３ファイルであると、コンピュータシステム１６はファイルを．ｍｐ３ファイルとしてメモリ２４に格納する。再度、これは装置１２のためのデフォルト設定であり、この設定は変更可能である。例えば、デフォルト設定は変更可能であるので、．ｗａｖファイルは、メモリ２４に蓄積される前に．ｍｐ３ファイル形式に自動的に圧縮される。
【００５３】
前述したように、レコーダー／プレーヤーコンピュータシステム１６は従来のオーディオＣＤを再生するためレコーダー／プレーヤーソフトウエア３４の制御下で動作可能である。ＣＤをコピーする場合と同様に、装置１２はＣＤを２つの異なるモードで再生できる。自動再生モードにおいて、装置１２はＣＤドライブ２２に挿入されるＣＤを自動的に再生する。この装置１２は、以下により詳細に説明されるように、リモート制御装置１４がプレイ命令を受信するまでＣＤドライブ２２に挿入されたＣＤを再生しないように装置１２はセットアップできる。さらに、装置１２は全てのデジタルオーディオをレコーダー／プレーヤーメモリ２４に自動的に複写し、ＣＤの再生を開始するようにセットアップできる。全てのこれらの特徴はリモート制御装置１４を使用して調整できる。
【００５４】
ＣＤを焼き付けるため、ユーザーは装置１２にバーン命令を入力するため、以下により詳細に説明されるように、リモート制御装置１４を使用する。バーン命令はＣＤに焼き付けるべき歌および焼付け処理中に使用されるべきフォーマットを特定する情報を含んでいる。フォーマットのためのデフォルト設定はＭＰ３で圧縮される。この設定はリモート制御装置１４を使用して変更できるが、コンピュータシステム１６は元の非圧縮デジタルオーディオＣＤフォーマットでＣＤを焼付けできる。
【００５５】
レコーダー／プレーヤー装置１２の外観をより魅力的にするため、装置１２の筐体は旧式のジュークボックスで見られる特徴を含んでいる。例えば、筐体は動画気泡管、変化するカラー柱、顕示ＣＤ変換機構、従来のジュークボックスに典型的に見られる従来の入力ボタン、ＣＤのリストとこれらのＣＤ上の歌を含む複数のページ、またはこのような装置に典型的に含まれる種々の他のジュークボックスの特徴の何れかを含んでも良い。例えば、装置１２はＷｕｒｌｉｔｚｅｒモデル１０１５ジュークボックスの特徴を模倣するように組み立てられる。装置１２の筐体の一実施例の包括的な図面は図９に示される。
【００５６】
リモート制御装置１４
リモート制御ＣＰＵシステム３８はレコーダー／プレーヤーＣＰＵシステム１８と類似の従来のコンピュータＣＰＵシステムであり、リモート制御ソフトウエア５２から受信された命令を実行するために動作可能である。図５を参照すると、ＣＰＵシステム３８はＣＰＵ６８、ＲＯＭ７０、ＲＡＭ７２、マザーボード７４、オペレーティングシステム７６、および電池７８を含む。レコーダー／プレーヤーＣＰＵシステム１８の場合と同様に、これらのコンポーネントは用途に依存して変更できる。一実施例において、例えば、リモート制御装置１４はデル・コーポレーション（Ｄｅｌｌ  Ｃｏｒｐｏｒａｔｉｏｎ）によるデルＡｘｉｕｍＸ５メーカーの従来のパーソナル・デジタル・アシスタント（ＰＤＡ）である。ＡｘｉｕｍＸ５は４００ＭＨｚ又は３００ＭＨｚ、ＣＤＲＡＭの３２メガバイト又は６４メガバイト、フラッシュＲＯＭの３２又は４８メガバイトで動作するインテルＸＳＣＡＬＥプロセッサを含んでもよい。ＡｘｉｕｍはマイクロソフトポケットＰＣ２００２ペンティアム（登録商標）エディションオペレーティングシステム、インターネットエクスプローラ、取外し可能なリチウムイオン電池、およびオプショナル高容量リチウムイオン電池を含む。ＡｘｉｕｍＸ５はステレオヘッドホンコネクタ、赤外線信号を出力するための赤外線データアソシエイト（ｉｒＤＡ）ポート、およびネットワーク又はワイヤレスフィディリティー（ＷｉＦｉ）アクティビティのためのオプショナル８０２．１１ｂワイヤレスコンパクトフラッシュ（登録商標）（ＣＦ）カードを含む。Ａｘｉｕｍは内蔵型マイクロホンおよびスピーカーシステムを含む。  
【００５７】
リモート制御通信システム４０はすでに詳述したレコーダー／プレーヤー通信システム２０と同じである。このシステムは装置１２とリモート制御装置１４が８０２．１１ｂワイヤレスネットワーキング標準を使用して相互に通信させる無線通信システムである。ＰＤＡがリモート制御装置１４に使用されると、リモート制御通信システム４０は上記に示されたようにＰＤＡに組み込まれる。
【００５８】
リモート制御インターネット通信システム４７は前に詳述したレコーダー／プレーヤーインターネット通信システム３０と同じである。このシステムは装置１４がインターネットと通信するのを可能にし、且つ装置１４が無線技術を使用してインターネットと通信するのを可能にするハードウエアおよびソフトウエアを有してもよい。リモート制御通信システム４０の場合と同様に、リモート制御インターネット通信システム４７はＰＤＡに一体化できる。
【００５９】
リモート制御メモリ４２は．ｗａｖ、．ｍｐ３、又は他の従来のオーディオフォーマットでデジタル信号を蓄積できる。一実施例において、メモリ４２はＳＤＲＡＭの６４ＭＢである。要求されるメモリ量は用途ごとに変化し、リモート制御装置１４に蓄積されるべきデジタルオーディオ量に依存する。メモリシステムは当技術で既知であり、種々の異なる型のメモリの１つが使用できる。前述したように、リモート制御メモリ４２はオーディオおよびビデオ装置の複数の従来構成、家屋の１つ又は複数の部屋に配置されたオーディオまたはビデオ装置を特定する情報、およびこれらのコンポーネントを制御するために必要な情報を制御するために使用される情報を蓄積できる。
【００６０】
リモート制御スピーカーシステム４４はメモリ４２に蓄積されたオーディオまたはレコーダー／プレーヤー装置１２から受信されたストリーミングオーディオを再生するために動作可能である。一実施例において、スピーカーシステム４４は従来のヘッドホンコンポーネントを含み、従来のヘッドホンを使用してオーディオを聴くために使用できる。他の実施例において、スピーカーシステム４４はデルＡｘｉｕｍＸ５ＰＤＡで見られるスピーカーシステムである。装置１２のスピーカーシステム２６の場合と同様に、スピーカーシステム４４はデジタルオーディオをアナログオーディオに変換するためにサウンドカードを含み、スピーカーシステム２６により再生できる。
【００６１】
入出力装置４６は種々のメニューをユーザーに表示し、ユーザーにコピー命令、プレイ命令、又はバーン命令のような種々の命令を入力させるように動作可能である。一実施例において、入出力装置４６は３２０ｘ２４０画素分解能を有する３．５インチタッチセンシティブ、フルカラー、トランスフレクティブディスプレイである。変形実施例において、他の型の入出力装置が使用できる。
【００６２】
赤外線システム４８は赤外線制御信号を発生するために動作可能であり、典型的な家庭で見られるオーディオおよびビデオ装置の種々の従来の構成を制御するために使用できる。例えば、赤外線システム４８は従来のＴＶ、ステレオ、ＤＶＤプレーヤー、およびＶＣＲプレーヤーを制御するため、リモート制御ソフトウエア５２と関連して、使用できる。ＰＤＡはより古い従来のＴＶとオーディオ／ビデオリモート制御システムと異なる赤外線通信プロトコルを使用し、本発明の赤外線システム４８は適切な赤外線通信プロトコルを使用するために適合される。変形実施例において、赤外線システム４８はＰＤＡの赤外線システムを変更を可能にする当技術で知られた商業用に入手可能なコンポーネントを含んでもよく、従来のＴＶおよび他のオーディオ／ビデオ装置を制御するために使用できる。
【００６３】
リモート制御ソフトウエア５２はＣＤを装置１２のメモリ２４に又は装置１４のメモリ４２に複製するため、ＣＤドライブ２２、メモリ４２、又はメモリ２４内のＣＤのデジタルオーディオを再生するため、およびＣＤドライブを使用してＣＤを焼き付けるためにユーザーにより使用できる。ユーザーがこれらの種々の機能を実施するのを可能にするため、ソフトウエア５２はユーザーがこれらの機能を実施するための命令を入力するのを可能にする一連の画面又はメニューを発生する。例えば、一実施例において、ソフトウエア５２は図１０−図１２に示される画面を発生する。図１０に示される画面はＣＤからの歌をレコーダー／プレーヤー装置１２に複製するため又はＣＤの歌を再生するための要求を出力するために使用され、図１２に示される画面はレコーダー／プレーヤー装置１２からＣＤに歌を複製し又は“焼き付ける”ために使用される。図１１は歌がＣＤからレコーダー／プレーヤー装置１２に複製されている時に表示される画面を示す。
【００６４】
出願人はソフトウエア５２が特定の用途に依存して種々の異なる画面を発生するためにプログラムできることを意図している。したがって、変形実施例において、ソフトウエア５２は“コピーオーディオ”ボタン、“プレイオーディオ”ボタン、および“バーンオーディオ”ボタンを含む入出力装置４６上に主メニューを発生する。
【００６５】
“コピーオーディオ”ボタンが押圧されると、ソフトウエアは“オーディオをレコーダー／プレーヤーにコピー”を読み出す第１ボタン、および“オーディオをリモート制御にコピー”を読み出す第２ボタンを含む第２画面を表示する。第１ボタンがスタイラスに使用してユーザーにより押されると、ソフトウエア５２はＣＤからＣＤドライブ２２に対するデジタルオーディオがメモリ２４に複製されることを要求するレコーダー／プレーヤー装置１２にコピー命令を送信する。それに応じて、レコーダー／プレーヤーソフトウエア３４はＣＤドライブ内のＣＤ上の全ての音楽をメモリ２４内にコピーする。第２ボタンが押されると、ソフトウエア５２は２つのボタンを含む画面に表示する。一方のボタンが“ＣＤからのオーディオをコピー”を読み出し、他方のボタンが“レコーダー／プレーヤーメモリからのオーディオをコピー”を読み出す。“ＣＤからのオーディオをコピー”ボタンが押されると、ソフトウエア５２はＣＤドライブ２２内のＣＤのデジタルオーディオがリモート制御メモリ４２に複写されることを要求する装置１２にコピー命令を送信する。それに応じて、レコーダー／プレーヤーソフトウエア３４はＣＤからのオーディオを複写し、それを装置１４に送信し、そこでリモート制御ソフトウエア５２によりリモート制御メモリ２４に複写される。“レコーダー／プレーヤーメモリからのオーディオをコピー”ボタンが押されると、ソフトウエア５２はレコーダー／プレーヤーメモリ２４に蓄積されたオーディオがリモート制御メモリ４２にコピーされることを要求する装置１２にコピー命令を送信する。それに応じて、レコーダー／プレーヤーソフトウエア３４はレコーダー／プレーヤーメモリ２４からのオーディオを装置１４に送信し、リモート制御ソフトウエア５２はオーディオをリモート制御メモリ４２に複写する。
【００６６】
どちらかのコピーボタンが押されると、フォーマット画面は“．ｗａｖフォーマット”ボタンおよび“．ｍｐ３フォーマット”ボタンを含むいくつかのフォーマットボタンを表示する。ユーザーは所望のフォーマットを選択し、したがって、ソフトウエア５２はオーディオを蓄積する。もしＭＰ３のような圧縮フォーマットが選択されると、ソフトウエア５２はオーディオを圧縮するためにＭＰ３エンコーダーモジュールを使用する。さらに、どちらかのコピーボタンが押されると、ソフトウエア５２はユーザーがソフトウエア５２によりコピーされるべき歌を選択するのを可能にする一連の画面を表示する。
【００６７】
“プレイオーディオ”ボタンが押されると、ソフトウエア５２は“ＣＤドライブ内のＣＤを再生”ボタン、“レコーダー／プレーヤーに蓄積されたオーディオを再生”ボタン、および“リモート制御に蓄積されたオーディオを再生”ボタンを含む画面を表示する。第１の２つのボタンの一方が押されると、ソフトウエア５２はプレイ命令を装置１２に送信し、レコーダー／プレーヤーソフトウエア３６は適切なオーディオを再生する。プレイ命令はＣＤからのオーディオ又はメモリに蓄積されたオーディオが再生されることを示す情報を含んでいる。デフォルト設定により、もしＣＤ又はレコーダー／プレーヤーメモリ２４からのオーディオが選択されると、ソフトウエア５２はレコーダー／プレーヤースピーカーシステム２６を使用してオーディオを再生する。もしリモートに蓄積されたオーディオが選択されると、ソフトウエア５２はリモート制御スピーカーシステム４４を使用してオーディオを再生する。
【００６８】
どのプレイボタンが押されたかにかかわらず、ソフトウエア５２はユーザーが再生されるべきオーディオを選択できる一連の画面を表示する。一実施例において、画面は典型的には従来のジュークボックスに含まれる情報を含み、例えば、ＣＤは関連番号、例えば、４６、を有し、ＣＤ上の歌は、例えば、第１の歌に「０１」、第２の歌に「０２」等を有する。特定のＣＤ上の特定の歌を選択するため、ユーザーは入出力装置に表示される番号ボタンを使用して、所望のＣＤ番号および歌番号を単に入力する。
【００６９】
“バーンオーディオ”ボタンが押されると、リモート制御ソフトウエア５２がレコーダー／プレーヤーソフトウエア３４にバーン命令を送信する。バーン命令に応答して、レコーダー／プレーヤーソフトウエア３４はＣＤドライブ  ２２内のＣＤ上にオーディオを焼き付ける。コピー命令の場合と同様に、ソフトウエア５２はユーザーがバーニングプロセスのための所望のフォーマットを特定するのを可能にするフォーマット画面を表示する。ＣＤはオリジナルのＣＤフォーマット、．ｗａｖフォーマット、および．ｍｐ３フォーマットで焼付け可能である。更に、ユーザーは自身が所望の歌を選択するのを可能にする一連の画面を使用することにより焼き付けるべき歌を選択することができる。プレイ命令の場合と同様に、一実施例において、画面は従来のジュークボックスに典型的に含まれる情報を含み、例えば、ＣＤは関連番号、例えば、第１の歌では「０１」、第２の歌では「０２」等を有する。ＣＤを焼き付けるため特定の歌を選択するため、ユーザーは、入出力装置上に表示された番号ボタンを使用して、所望のＣＤ番号と歌番号を単に入力する。
【００７０】
インターネットに基く音楽配信サービス
上述の通り、レコーダー／プレーヤー装置１２はインターネット通信システム３０を介してオーディオを受信し且つ記録するように構成される。レコーダー／プレーヤー装置１２は、従来のテレビ受像機やパソコンのような専用でない装置を使用して達成できるビジネスモデルと比較して、多くの異なるビジネスモデルの追従を可能にするオーディオを受信するための独自の装置を提供する。
【００７１】
各レコーダー／プレーヤー装置１２を独自に特定するシステムと組み合わせて専用のハードウエアを使用することによりハードウエアおよび付随の音楽サービスの所有者は全体システムを独自に制御するため専用防止構成に組み込み可能である。これにより、これまでインターネットに基く音楽配信サービスの満足な達成を妨げた多くの重要なビジネス上の問題点を解決する。
【００７２】
成功したインターネットに基く音楽サービスを確立するためビジネス的見地から対応されるべき主な問題はコンパクトディスク記録を製作するレコード会社に属する著作権のある音楽コンテンツを保護し、レコード会社に満足すべき方法で音楽コンテンツの利用に対する著作権使用料を追跡し、報告し、支払うことである。これはＣＤを焼き付けることにより製作される追加の複製のための基礎著作権所有者に対する“機械的著作権使用料”の追跡および支払いを含み、ＢＭＩおよびＡＳＣＡＰのような団体に上演権団体に対する上演著作権使用料の追跡および支払いを含む。
【００７３】
このコピー保護の他の側面は記録されたＣＤが再生可能な形態で継続して複製できないようにレコーダー／プレーヤー装置１２により記録可能なＣＤ上に焼付け可能なデジタルオーディオをエンコードすることにより提供される。上述のように、コピー防止はオーディオを焼くことを含む多くの方法で実施し可能であり、例えば、オーディオがパソコンのＣＤドライブから隠蔽され、コピーできないようにすること、またはオーディオがクリック音やポップ音を焼かれたＣＤのコピーに生じさせるエラーを有し、使用可能なコピーの製作を防止することを含む。
【００７４】
関連する問題はコピー防止機構がレコーダー／プレーヤー装置１２により与えられる場合何らかな形で解読するハッカーにより行われる不認可のコピー元を追跡し且つ特定するための能力を提供することである。不認可の音楽の追跡は音楽を記録する特定のレコーダー／プレーヤー装置１２に付随する独自の識別表示で記録物に“電子透かしを入れる”ことにより以下に説明される音楽サーバーシステムにより達成されるので、もし不認可のコピーが配信されると、これらの発信元がこの独自の識別表示のチェックで特定される。レコーダー／プレーヤー装置１２のプライバシーは音楽サーバーシステムのオペレータがレコーダー／プレーヤー装置認識表示、付随の所有者名、アドレス等のデータベースを保持し、顧客による実施許諾されたコンテンツの悪用の適切な表示のみで顧客の認識表示の流布を制御できることで提供される。
【００７５】
レコード会社の主たる関心の更なる他の問題はＣＤ販売目減りを最小にすることである。これはＣＤフォーマットで小売レコード店で売られている非圧縮ファイルと対照的に．ｍｐ３のような圧縮低下品質フォーマットでのみオーディオを送信することにより後述のシステムで達成される。結果として、プレーヤー／レコーダー装置１２によるインターネット音楽サービスを介して受信され且つこれらのプレーヤー／レコーダー装置１２によりその後に焼かれおよび／又はレコーダー／プレーヤー装置１２又は携帯リモート制御装置１４上のメモリにその後格納された音楽は小売レコード店で購入される従来のＣＤ上に含まれる音楽より低品質である。
【００７６】
レコーダー／プレーヤー装置１２の組み込まれたベースと共に後述の音楽サーバーシステムは、民間放送ラジオに置換できるがレコード会社で製造され、従来のレコード店で売られるＣＤに見られる高品質のデジタル記録音楽の供給を最終的に置換できないシステムを効果的に提供する。
【００７７】
本システムはそのオペレータが複数の無線局放送に類似する音楽コンテンツの複数のチャンネルを放送するのを可能にする。但し、放送はインターネットを介して行われ、専用プレーヤー／レコーダー装置１２の一つを所有し、且つ適切な月額料金および利用料金の支払い後、現在認可されている消費者により受信できる。
【００７８】
プレーヤー／レコーダー装置１２の１つの所有権を有する各個別加入者が記録された音楽コンテンツの自身の利用に対して課金され、全てのユーザーの集合的な利用はインターネットに基く音楽サービスシステムのオペレータによりレコード会社に対する支払いと共にレコード会社に報告される。各消費者の情報はレコーダー／プレーヤー装置１２により受信され且つ蓄積されたレコード音楽に埋め込まれた独自の識別表示により追跡できる音楽コンテンツの悪用の表示の場合にレコード会社又は他のコンテンツ所有者にのみ提供される。
【００７９】
上述のようにシステムを提供することにより、レコード会社は自身のビジネスモデルの保護を確信でき、後述のインターネットに基く音楽サーバーシステムを介して配信のための音楽コンテンツの使用に実施許諾を与えるためレコード会社に動機付けを提供する。当業者により理解されるように、大手のレコード会社の契約協力のない場合、オペレータがコンテンツ消費者の要望を有するインターネットに基く音楽サーバーシステムを合法的に提供することは不可能である。
【００８０】
図６−図８を参照すると、本発明はインターネットを介して複数の組合せレコーダーおよびプレーヤー装置１２に接続できる新規な音楽サーバーコンピュータシステム１００を含む。音楽サーバー１００は音楽サーバーＣＰＵシステム１０２、音楽サーバーインターネット通信システム１０４、音楽サーバーメモリ１０６、音楽サーバー入出力部１０８、および音楽サーバーソフトウエア１１０を含む。
【００８１】
音楽サーバーＣＰＵシステム１０２は当技術でよく知られた従来のサーバーＣＰＵシステムであり、種々の機能を実行するために命令およびデータを処理するように動作可能である。ＣＰＵシステム１０２は中央処理装置（ＣＰＵ）、ＲＯＭ、ＲＡＭ、およびオペレーティングシステムを含む。当技術で既知であるように、ＣＰＵとオペレーティングシステムは用途に依存して変更可能である。同様な方法で、音楽サーバー１００で使用されるＲＯＭおよびＲＡＭの量も同様に変更できる。
【００８２】
音楽サーバーインターネット通信システム１０４は音楽サーバー１００がインターネットと通信できるように動作可能である。インターネット通信システムは当技術で既知であり、これらのシステムの何れか１つが使用できる。従来のインターネット通信システムは、特に、関連ソフトウエアを有するモデム、ケーブルモデムとその関連ソフトウエア、又は関連ソフトウエアを有するＤＳＬモデムを含む。本発明のインターネット通信システム１０４はケーブルモデムを含み、音楽サーバー１００が無線技術を使用してインターネットと通信するのを可能にするハードウエアおよびソフトウエアを含む。
【００８３】
音楽サーバーメモリ１０６は既知の．ｍｐ３ファイルフォーマットを含む種々の圧縮オーディオフォーマットのデジタルオーディオファイルを蓄積するために動作可能である。好ましい実施例において、オーディオファイルが．ｍｐ３ファイルとして蓄積されるが、オーディオファイルも他の従来のフォーマットで蓄積でき、既知の．ｗａｖファイルのような非圧縮オーディオフォーマットを含む。メモリシステムは当技術で既知であり、メモリの種々の異なる型の何れかが使用できる。例えば、音楽サーバーメモリ１０６はある応用において単にハードドライブシステムである。
【００８４】
図８において、音楽サーバーメモリ１０６は音楽データベース１１２、認可済装置データベース１１４、音楽利用データベース１１６、レコーディングアーチスト著作権実施料データベース１１８、およびＴＶプログラムガイドデータベース１２０を含む。音楽データベース１１２は音楽サーバー１００を使用して複数の装置１２に送信できるデジタルオーディオを含む。好ましい実施例において、デジタルオーディオは．ｍｐ３圧縮オーディオフォーマットで蓄積され放送される。音楽データベース１１２は現在放送されているデジタル音楽放送および音楽サーバー１００による過去又は未来のデジタル放送の日付と時期に関する情報を含むプログラムガイドを含む。
【００８５】
認可済装置データベース１１４はデジタル音楽放送を受信するために認可された組合せレコーダーおよびプレーヤー装置１２に関する情報を含む。この情報は、各認可済み装置１２のための、独自の装置認識番号および所有者の名前、アドレス、電話番号、請求元住所等のような所有権識別情報を含む。独自の識別番号は用途ごとに変更可能である。しかしながら、一般的に、この番号は番号に関連する装置１２を独自に特定し、同時に、不認可ユーザーによる決定を困難にさせるための十分な情報を含むべきである。そのようなものとして、番号は英数字のある組合せを含むべきであり、ある場合には、大文字と小文字を区別する。例えば、一実施例において、独自の認識番号はＧＧＣ９８４２０１ａＳ２１ＢＤであり、ギブソン・ギター・コーポレーションは装置を所有し、種々のランダム、ケースセンシティブ英数字の挿入が認識番号を不認可のユーザーによる決定を困難にすることを示している。認可済み装置データベース１１４に蓄積される情報はインターネット上の認可済み装置の位置を識別し、装置のためのインターネットプロトコル（ＩＰ）アドレスおよびインターネットドメインを含む詳細な情報を含んでいる。
【００８６】
音楽利用データベース１１６は歌が音楽サーバー１００から装置１２にダウンロードされた回数に関する情報を含む。このデータベースは音楽サーバー１００からダウンロードされた各歌の名称、ダウンロードされた歌が装置１２によりコンパクトディスク（ＣＤ）にコピーされる回数、およびダウンロードされた歌がリモート制御装置１４にコピーされる回数に関する情報を含む。データベースは音楽がレコーダー／プレーヤー装置１２又はリモート装置１４により再生される回数に関する利用情報を含む。この情報はレコーダー／プレーヤー装置１２により追跡され、音楽サーバーコンピュータシステム１００に周期的に且つ自動的に返送信される。
【００８７】
レコーディングアーチストロイヤリティ（実施料）データベース１１８はレコーディングアーチストの名前および住所および音楽サーバー１００に蓄積された歌のダウンロードに対して支払われるべき著作権実施料を含む音楽データベース１１２に蓄積された歌を所有するレコーディングアーチスト又は人々又は団体に関する情報を含む。ロイヤリティデータベース１１８は各アーチストの著作権使用料を送るべき場所を識別する情報を含んでいる。この情報はバンクルーティングおよび口座番号を含み、音楽サーバ１００に歌を有する種々のアーチストにロイヤリティの支払いを自動的に送信するために使用できる。
【００８８】
ＴＶプログラムガイドデータベース１２０はケーブル、衛星、およびローカルテレビジョン局のプログラミングに関する情報を含んでいる。当技術でよく知られているように、このプログラミングは場所ごとに変更できる。したがって、米国、又は外国での種々の領域に関する情報はデータベース１２０に格納できる。プログラミングに関する情報は同様に変更可能であるが、一般的に、情報はプログラムが放送される日時、完全なプログラムの記述、種々のプログラムの論評、および種々のプログラムに関する推薦を含んでいる。
【００８９】
音楽サーバー入出力部１８０は従来の入出力装置を含み、音楽サーバー１００からの情報を入力し且つ出力するために動作可能である。一実施例において、音楽サーバー入出力部１０８は従来のキーボード、マウス、および視覚ディスプレイ装置を含んでいる。入出力部１０８は用途ごとに変更でき、他の従来の入出力装置を含んでいる。
【００９０】
音楽サーバーソフトウエア１１０は音楽サーバー１００が所定時期に音楽サーバーインターネット通信システム１０４を使用して音楽データベース１１２から装置１２にストリーミング音楽を送信させるように動作可能である。例えば、音楽サーバーソフトウエア１１０は、毎日、毎週、又は毎月ストリーミングオーディオを送信するように構成できる。音楽サーバーソフトウエア１１０は同様にストリーミングオーディオを連続的に送信するように構成できる。
【００９１】
オーディオは、ストリミングオーディオとしてでなく、完全なファイルフォーマットで送信できる。
【００９２】
ストリーミングオーディオに加えて、音楽サーバーソフトウエア１１０は音楽サーバー１００がインターネットを介して音楽データベース１１２から装置１２に放送されているストリーミングオーディオを記載するプログラムガイドを送信させるように動作可能である。これらのプログラムガイドは音楽サーバーソフトウエア１１０により送信されている全ての歌のリストを含み、且つ歌の名前、関連するアーチスト、歌を含むＣＤの名前、および歌の長さに関する情報を含んでいる。プログラムガイドは音楽サーバーソフトウエア１１０が、歌の放送日時を含む、インターネットを介してある歌を放送する時期に関する情報を含んでいる。例えば、音楽プログラムガイドは特定の日付に続く週間に放送される全ての歌に関する情報を含んでいる。
【００９３】
音楽サーバーソフトウエア１１０は音楽サーバー１００がストリーミングオーディオと共にインターネットを介してＴＶプログラムガイドデータベース１２０から装置１２にＴＶプログラムガイドを送信させるように動作可能である。これらのＴＶプログラムガイドはケーブル、衛星、およびローカルテレビ局のプログラミングに関する詳細情報を含み、推薦、完全なプログラムの記載、および解説を含んでいる。
【００９４】
音楽サーバーソフトウエア１１０は音楽サーバー１００が音楽利用データベース１１６内のインターネットで放送される音楽に関する詳細情報を蓄積するように動作可能である。詳細情報は変化するが、一般的に、歌が音楽サーバー１００から装置１２にダウンロードされる回数、歌が装置１２からコンパクトディスク（ＣＤ）にコピーされる回数、および歌が装置１２からリモート制御装置１４にコピーされる回数を含む。また、詳細情報は歌がダウンロードされる場所を特定する情報を含み、且つ歌がダウンロードされる日付および時刻および歌を受信する装置１２の独自の認識番号を含む。
【００９５】
音楽サーバーソフトウエア１１０はさらに音楽サーバー１１０が音楽データベース１１２に蓄積された音楽を認可された装置１２に送信するために動作可能である。ソフトウエア１１０は音楽放送を受信するために認可された装置１２にストリーミングオーディオを単に送信することによりこの機能を達成する。音楽が音楽放送を受信するために認可された装置１２のみに放送されるのを、例えば、装置１２の所有者が要求された受信料を支払ったことを確実にするため、音楽サーバーソフトウエア１１０は認可された装置データベース１１４からの全ての認可装置１２のリストを入手し、このリストを使用して、ストリーミングオーディオをこれらの装置１２に放送する。
【００９６】
音楽サーバーソフトウエア１１０は音楽サーバー１００に、不認可の装置および、パソコンのような他の装置が音楽サーバー１００上の音楽をアクセスするのを防止させるように動作可能である。もし認可された装置以外の装置が音楽サーバー１００をアクセスしようとすると、音楽サーバーソフトウエア１１０は装置からの認識情報、即ち、独自の認識番号を要求する。もしその装置が認可装置に関係する認識情報を提供できなければ、音楽サービスソフトウエア１１０はその装置に音楽サーバー１００および音楽データベース１１２へのアクセスを拒否する。
【００９７】
音楽サーバーソフトウエア１１０は２つの異なるモードで動作する。自動放送モードと称される第１モードにおいて、音楽サーバーソフトウエア１１０はインターネットを介して音楽を装置１２に自動的に放送する。要求放送モードと称される第２モードにおいて、音楽サーバーソフトウエア１１０は音楽を放送を受信するために要求した装置１２にのみに放送する。このモードにおいて、音楽サーバーソフトウエア１１０は要求装置１２からの放送要求を受信する。放送要求は要求装置１２を独自に特定する情報、即ち、装置の独自認識番号を含み、要求装置１２が放送を受信するために認可されているかどうかを決定するために音楽サーバーソフトウエア１１０により使用される。音楽サーバーソフトウエア１１０は要求装置１２から受信した独自の装置認識情報を認可装置データベース１１４に蓄積された装置認識情報と比較する。もし受信された情報が一致すると、音楽サーバーソフトウエア１１０は要求装置１２が認可されたことを決定し、音楽を要求装置１２に放送する。そうでなければ、音楽サーバーソフトウエア１１０は装置が放送を受信するために認可されていないことを示している要求装置１２に応答を返送する。
【００９８】
音楽サーバーソフトウエア１１０は音楽サーバー１００に認可装置１２にダウンロードされた全ての歌に装置の独自識別番号をラベル付けさせるように動作可能である。好ましい実施例において、歌を損なわずに除去されるのを防止する方法で独自の認識番号が歌に取付けられる。結果として、もしユーザーが独自の識別番号を除去すると、その歌はもはや再生不能となる。このような方法でダウンロードされた歌にラベル付けすることにより、音楽サーバー１００は特定の装置１２にダウンロードされた歌を追跡できる。もし特定の装置１２にダウンロードされた歌がインターネット上の他のサーバー又はコンピュータに不適切に配置されると、歌に取り付けられたラベルは歌の発信元を特定するために使用される。ラベリングの目的はユーザーに適切なレコーディングアーチストに要求された実施料を支払うことなく歌を不正にコピーさせないようにする。さらに、もしユーザーが歌を不正に複製するために選択すると、このラベリングシステムにより、適切な当局がこのユーザーを特定し、必要な実施料の支払いを強制される。代案として、音楽がダウンロードされたとき又はＣＤ上に焼き付けられる又は記録されるとき、独自の識別子がレコーダー／プレーヤー装置１２によりダウンロードされた歌に埋め込まれる。
【００９９】
レコーダー／プレーヤーシステムおよび音楽配信システムの利点
上述のレコーダー／プレーヤー装置１２および音楽サーバーコンピュータシステム１００は消費者が単一の使いやすい場所に収集した全ての音楽をコピーし、且つ事実上どこでも再生するのを可能にする全システムを提供する。消費者は１つのボタンを押すことに自身の音楽ＣＤをレコーダー／プレーヤー装置に記録できる。消費者はバックアップとして、又は他の用途のために元のＣＤに格納できる。
【０１００】
消費者は多くのジュークボックスの番号を押すように容易にどのような歌も呼び戻し且つ再生できる。
【０１０１】
消費者は歌を呼び出し且つ“レコード”をプレスするのと同様に簡単に歌のライブラリの何れかを使用してＣＤを製作できる。コンテンツはもしＣＤから始まるなら又は．ｍｐ３フォーマットに変換できれば元のフォーマットで記録でき、顧客が、顧客の車内又は他の場所で何時間ものリスニングの楽しみを提供するほぼ同一のオーディオ品質で１００曲以上の歌のＣＤを製作するのを可能にする。
【０１０２】
レコーダー／プレーヤー装置は従来のジュークボックスの魅力的な外観で構成され、同一のカラフルな外観を有するオリジナルなジュークボックスのような単一のコンソールとして出現する。レコーダー／プレーヤー装置は３コンポーネントに、即ち、どんなオーディオの棚にもフィットするほぼ１８インチ幅の美しいプレーヤーと、家のどこにも置ける２つの高忠実度パワースピーカーに容易に変換できる。更に、顧客は追加のパワースピーカーを購入でき、専用のＧａＧＩＣシステムを使用していくつかの部屋や場所でレコーダー／プレーヤー装置からの音楽を再生できる。
【０１０３】
レコーダー／プレーヤー装置のユーザーの使用を簡単にするため、フルカラータッチセンシティブリモート制御が魅力的な前面パネルにネストされる。顧客は、レコーダー／プレーヤー装置１２に接続（充電）されている間に、リモート制御装置を使用するか又は音楽の体験を制御するため家屋内のどこでも引き出し且つ取り出すことができる。このリモート装置は壁を透過でき、レコーダー／プレーヤー装置１２と通信できるコンピュータ品質無線システムを使用する。リモート装置は顧客の歌、ＣＤ、および他の情報に関する完全な情報を表示できる。リモート装置は完全に機能するパーソナルデジタルアシスタントの全ての特徴を有する。このリモート装置を使用して、顧客はレコーダー／プレーヤー装置１２からの歌をリモート装置に記録でき、リモート装置に直接高忠実度ステレオヘッドセットを接続でき、且つ音楽をどこでも聴くことができる。もし顧客が自身の家で音楽を聞きたければ、レコーディングの面倒もなくリモート装置に直接無線で音楽を送信できる。
【０１０４】
リモート装置はまた赤外線通信システムを有し、本当のユニバーサルリモート制御装置として作用するほとんどの他のオーディオおよびビデオコンポーネントを制御できる。装置識別子の大きなデータベースはすでにレコーダー／プレーヤー装置に含まれ、他のリモート装置から容易に知ることができる。リモート装置はそれぞれ個別に蓄積された異なるコンポーネントを有する異なる部屋のためのリモート装置として使用できる。マクロ命令はリモート装置にプログラム可能である。
【０１０５】
顧客の全体のリモートセットアップはリモート装置がそのメモリを消失した場合の呼び戻しを容易にするためリモート装置およびレコーダー／プレーヤー装置１２に同時に蓄積される。最終的にそして最も印象的には、リモート制御装置はコンピュータを介してプログラムされ、顧客はグラフィックスとリモート機能を専用レコーダー／プレーヤー装置１２の一つを有する他のユーザーと交換できる。
【０１０６】
顧客はリモート制御装置とレコーダー／プレーヤー装置１２が安価なＸ−１０リモート制御システムを使用して家庭の照明、電気製品、および他の装置およびリモート制御装置に組み込まれた無線システムを使用する赤外線レピーターを制御するのを可能にする完全なホーム制御オプションを購入できる。
【０１０７】
顧客はレコーダー／プレーヤー装置１２を直接且つ瞬時に最新情報をアクセスするため且つリモート制御装置をサービスを提供するためこれらのホームネットワーク又はケーブル／ＤＳＬモデムに接続できる。もし顧客が家庭のインターネットにアクセスすると、レコーダー／プレーヤー装置上での単一の接続で、顧客は装置アクセス追加料金サービスを有し且つインターネットに基く音楽配信サービスに予約できる。
【０１０８】
全ての入手できるＣＤの完全なデータベースはレコーダー／プレーヤー装置と共に到来し、顧客はインターネットを介して自動的にこのデータベースを更新できる。サービスおよび機能の最新情報も入手可能である。大手のレコード会社のいくつかと他の独立の発信元は顧客が無料で新生のアーチストのための歌と他のマテリアルをアクセスするのを可能にする。
【０１０９】
上述の加入サービスは顧客が全ての分野の音楽を含むマルチチャンネル（例えば、３０チャンネル）コマーシャル無しのデジタル品質音楽放送を予約するのを可能にする。顧客は前もって（１週間のような）実質的な期間インターネットを介して放送されている歌を含むプログラムガイドをアクセスでき、この期間は顧客がレコーダー／プレーヤー装置に蓄積された顧客のライブラリの一部として自身の使用のための歌をコピーする能力を予約金の一部として顧客に提供する。
【０１１０】
加入サービスは、推薦、充分なプログラム記述、および解説付の、ローカル放送ケーブル、衛星、又はローカル局のためのテレビガイドを含む。これは、顧客の加入が適切である期間中、顧客のレコーダー／プレーヤー装置に自動的にダウンロードされ、ガイドはリモート制御装置１４を介して顧客に瞬時に入手できる。さらに、顧客は追加のリモート制御装置を獲得でき、マルチリモート制御装置は同時に動作可能である。
【０１１１】
結果として、上述のシステムは顧客がレコード音楽に比類なきアクセスを実行し使用することを可能にする。
【０１１２】
新規で有益な音楽配信システムの本発明の特有の実施例が説明されたが、このような参照は、特許請求の範囲に記載されたものを除いて、本発明の範囲の限定として解釈することを意図するものでない。
【図面の簡単な説明】
【０１１３】
【図１】図１は本発明の組合せレコーダーおよびプレーヤーシステムの一実施例を示すブロック図である。
【図２】図２は図１に示される組合せレコーダーおよびプレーヤーシステムの一実施例を示すブロック図である。
【図３】図３は図１に示されるリモート制御装置の一実施例を示すブロック図である。
【図４】図４は図２に示されるＣＰＵレコーダー／プレーヤーＣＰＵシステムの一実施例を示すブロック図である。
【図５】図５は図３に示されるリモート制御ＣＰＵシステムの一実施例を示すブロック図である。
【図６】図６はインターネット上の複数のレコーダー／プレーヤー装置と通信する音楽サーバーコンピュータシステムを示すブロック図である。
【図７】図７は音楽サーバーコンピュータシステムのブロック図である。
【図８】図８は音楽サーバーメモリのブロック図である。
【図９】図９は本発明のレコーダー／プレーヤーの一実施例を示すブロック図である。
【図１０】図１０は本発明のリモート制御装置の一実施例により発生する画面ショットである。
【図１１】図１１は本発明のリモート制御装置の一実施例により発生する画面ショットである。
【図１２】図１２は本発明のリモート制御装置の一実施例により発生する画面ショットである。
【符号の説明】
【０１１４】
１２    組合レコーダーおよびプレーヤー装置
１４    リモート制御装置
１８    レコーダー／プレーヤーＣＰＵシステム
２０    レコーダー／プレーヤー通信システム
２２    コンパクトディスクドライブ
２４    レコーダー／プレーヤーメモリ
２６    レコーダー／プレーヤースピーカーシステム
２８    コピー要求入力機構
３０    レコーダー／プレーヤーインターネット通信システム
３２    リモートドッキングシステム
３４    レコーダー／プレーヤーソフトウエア
３８    リモート制御ＣＰＵシステム
４０    リモート制御通信システム
４２    リモート制御メモリ
４４    リモート制御スピーカーシステム
４６    入出力装置
４７    リモート制御インターネット通信システム
４８    赤外線システム
５０    Ｘ−１０制御システム
５４    中央処理装置
５８    マザーボード
６４    ＰＣ電源
６６    オペレーティングシステム
７８    電池
【図１】
2007521546.tif 000003
【図２】
2007521546.tif 000004
【図３】
2007521546.tif 000005
【図４】
2007521546.tif 000006
【図５】
2007521546.tif 000007
【図６】
2007521546.tif 000008
【図７】
2007521546.tif 000009
【図８】
2007521546.tif 000010
【図９】
2007521546.tif 000011
【図１０】
2007521546.tif 000012
【図１１】
2007521546.tif 000013
【図１２】
2007521546.tif 000014
【国際調査報告】
2007521546.tif 000015
2007521546.tif 000016